(57)【要約】【課題】並置ピッチが異なるランプを保持するランプクリップを、ランプに対応した場所に正確かつ容易に配することができる光源装置及びランプクリップを提供する。【解決手段】ランプ２１〜２４が並置ピッチを異にして並置されるシャーシ１１上に、ランプクリップ３１，３２の配置場所を示す指標４１，４２が形成してある。ランプクリップ３１，３２は、板状の基部３１１，３２１と、基部３１１，３２１の一面に設けられ、ランプ２１〜２４を保持する保持部３１２，３１２，３２２，３２２と、指標４１，４２に対応する目印３１３，３２３とを備える。作業者は目印３１３，３２３を指標４１，４２に対応させてランプクリップ３１，３２を配するため、ランプクリップ３１，３２が正確かつ容易に配置できる。【選択図】図５
2008123992.tif 000002
【特許請求の範囲】
【請求項１】
４本以上の杆状のランプを、ピッチを異ならせて該ランプが取付けられる取付板の上に並置してなり、
隣り合う複数本のランプを保持する複数個の保持部を有する複数種類のランプクリップを前記取付板の上に備える光源装置において、
前記取付板に、各ランプクリップの配置場所を示す指標が各ランプクリップ毎に異なる形状で形成されており、
各ランプクリップに、前記指標に対応する目印が形成されていることを特徴とする光源装置。
【請求項２】
前記指標は、前記ランプが発光した際の輝度が、前記指標周りの輝度と近似する大きさであることを特徴とする請求項１に記載の光源装置。
【請求項３】
前記ランプクリップは、一面に前記保持部が並設されている板状の基部を備え、
前記目印は、前記基部の一面から他面に貫通した凹所又は孔であることを特徴とする請求項１又は請求項２に記載の光源装置。
【請求項４】
前記指標は、前記ランプと対向する場所にあることを特徴とする請求項１から３に記載の光源装置。
【請求項５】
前記指標は、凹部（又は凸部）であり、
前記ランプクリップは、一面に前記保持部が並設されている板状の基部を備え、
前記目印は、前記基部の他面に前記凹部（又は凸部）と対応して形成されている凸部（又は凹部）であることを特徴とする請求項１に記載の光源装置。
【請求項６】
前記一面に、前記凸部（又は凹部）に対応する目印が形成されていることを特徴とする請求項５に記載の光源装置。
【請求項７】
前記ランプクリップは、一面に前記保持部が並設されている板状の基部を備え、前記目印は前記一面に形成されていることを特徴とする請求項１に記載の光源装置。
【請求項８】
前記基部は、前記保持部の間に突設されている柱形突起を有し、前記目印は前記柱形突起に設けてあることを特徴とする請求項７に記載の光源装置。
【請求項９】
前記指標は前記基部と対向する場所に配されていることを特徴とする請求項７又は８に記載の光源装置。
【請求項１０】
隣り合う複数本のランプを保持する複数個の保持部を有するランプクリップにおいて、
自身が配置される場所に形成される指標に対応する目印が形成されていることを特徴とするランプクリップ。
【発明の詳細な説明】
【技術分野】
【０００１】
本発明は、ランプを保持するランプクリップを備える光源装置及びランプクリップに関する。
【背景技術】
【０００２】
液晶表示装置は、液晶表示パネルと、シャーシ上に、夫々両端部を保持された複数本の杆状のランプを略平行に並置してある光源装置とを積層してなる。ここで、ランプの両端部は、例えば光源装置の両側部に配されたランプホルダによって固定される。
近年、液晶表示装置の大型化に伴い、光源装置のランプの本数が増加し、各ランプが長くなり、また細くなる傾向がある。
【０００３】
ランプの本数増加に関し、光源装置の輝度ムラを抑制しつつ所要の輝度を維持してランプの本数を削減するために、ランプ並置方向中央側ではランプを密に配置し、ランプ並置方向両端側ではランプを疎に配置する光源装置が提案されている（特許文献１参照）。
この光源装置においては、複数本のランプは、並置方向中央部から並置方向両端部へ向けてピッチが順に増加するように並置される。このため、液晶表示パネルの画面の中央部における輝度が最も高くなり、画面の両端部へ向かうに従って輝度が徐々に低下する。このようにしてランプの本数を減少させることによって、低消費電力、小型化、薄型化及び軽量化が達成される。
【０００４】
一方、ランプの細長化に関し、細長化したランプを確実に保持して光源装置の性能、品質等を維持するために、ランプの両端部を保持するランプホルダだけでなく、ランプの中央部を少なくとも１点又は２点で保持するランプクリップを備える光源装置が提案されている（特許文献２参照）。
【０００５】
さて、１本のランプを保持する１個の保持部を有するランプクリップを用いてランプを１本ずつ保持する場合、ランプクリップの個数が増加し、ランプクリップを用いてランプを保持するための作業工数が増加するという問題がある。
【０００６】
この問題を解決するために、特許文献２においては、隣り合う複数本のランプを夫々保持する複数個の保持部を一体に有するランプクリップが開示されている。
このようなランプクリップを用いる場合、隣り合うランプを複数本ずつ同時的に保持することが可能であるため、ランプクリップの個数及びランプリップに係る工数を減少させることができる。具体的には、例えば４本のランプが並置されている場合、隣り合う２本のランプを夫々保持する２個の保持部を一体に有するランプクリップを２個準備し、ランプの保持作業を２回行なえばよい。
【０００７】
特に、特許文献２に開示されているランプクリップは、一部に開口部を有する欠円状把持形状を成し、可撓性を有する透明部材で作られ、１管用や多管用を一体成型してあり、ランプを保護すると共に、ランプ配列の位置精度を確保し情報表示面での輝度ムラを防ぐと共に、透明材を使うことで、ランプホルダの陰による情報表示面の輝度低下や輝度ムラへの影響を防ぐことができる。
【０００８】
ところで、特許文献１に開示されているようにピッチを異ならせて複数本のランプを並置し、特許文献２に開示されているランプクリップを用いてランプを保持する場合、１本のランプに１個のランプクリップを対応させて、全てのランプクリップを千鳥配置する構成が考えられる。ここでいう千鳥配置とは、ランプの並置方向に隣り合うランプクリップは、ランプの長手方向における位置が異なるように配置されることをいう。以下千鳥配置とは同様の配置をいう。
しかしながら、このような構成ではランプクリップの個数が増加し、ランプクリップを用いてランプを保持するための作業工数が増加するという問題がある。
【０００９】
そこで、２本のランプに１個のランプクリップを対応させて、全てのランプクリップを千鳥配置する構成が考えられる。
この場合、ランプの並置ピッチが一定でないため、多種類の並置ピッチに対応して２個の保持部の離隔距離を異ならせた多種類のランプクリップを準備することになる。
【特許文献１】特開平６−７５２１６号公報
【特許文献２】特開２００１−２１０１２６号公報
【発明の開示】
【発明が解決しようとする課題】
【００１０】
しかしながら、ランプの並置ピッチの差異は一般に小さい（例えば、０．１ｍｍ〜５．０ｍｍ程度である）ため、異なる種類のランプクリップの２個の保持部の離隔距離の差異も小さい。このため、特に光源装置の生産作業時に、作業者がランプクリップの種類を見分けることは困難である。
また、ランプクリップの種類を正確に見分けた場合でも、このランプクリップで保持すべき２本のランプ、即ちこのランプクリップの２個の保持部の離隔距離に対応する並置ピッチを有する２本のランプを作業者が見分けることは困難である。
【００１１】
本発明は斯かる事情に鑑みてなされたものであり、その主たる目的は、ランプが配置される取付板に、各ランプクリップの配置場所を示す指標を各ランプクリップ毎に異なる形状で形成し、各ランプクリップに、前記指標に対応する目印を形成することにより、ランプクリップを正確な場所に容易に配してランプを保持することができる光源装置及びランプクリップを提供することにある。
【００１２】
本発明の他の目的は、指標の影響が少ない輝度を得ることができ、また、指標に影響されない輝度を得ることができる光源装置を提供することにある。
【００１３】
本発明の他の目的は、一面にランプ保持部が並設されている板状の基部に、自身の配置場所を示す指標に対応する凹所又は孔を設けることにより、ランプクリップをより一層容易に配してランプを保持することができる光源装置を提供することにある。
【００１４】
本発明の他の目的は、ランプと対向する場所、又はランプクリップと対向する場所に指標を設けることにより、指標による輝度の低下を抑制でき、指標の影響が少ない輝度を得ることができる光源装置を提供することにある。
【００１５】
本発明の他の目的は、ランプクリップの基部に、自身の配置場所を示す指標である凹部（又は凸部）に対応する凸部（又は凹部）を形成することにより、ランプクリップをより一層容易に配してランプを保持することができる光源装置を提供することにある。
【００１６】
本発明の更に他の目的は、ランプクリップの基部の一面に形成されている凸部（又は凹部）に対応する目印を他面に形成することにより、異なる種類のランプクリップを更に容易に見分けることができる光源装置を提供することにある。
【００１７】
本発明の更に他の目的は、ランプクリップの基部の一面に目印を設けることにより、異なる種類のランプクリップを容易に見分けることができる光源装置を提供することにあり、また、基部に突設されている柱形突起に目印を設けることにより、目印を有するランプクリップの形状を簡素にできる光源装置を提供することにある。
【課題を解決するための手段】
【００１８】
本発明に係る光源装置は、４本以上の杆状のランプを、ピッチを異ならせて該ランプが取付けられる取付板の上に並置してなり、隣り合う複数本のランプを保持する複数個の保持部を有する複数種類のランプクリップを前記取付板の上に備える光源装置において、前記取付板に、各ランプクリップの配置場所を示す指標が各ランプクリップ毎に異なる形状で形成されており、各ランプクリップに、前記指標に対応する目印が形成されていることを特徴とする光源装置。
【００１９】
また、本発明に係る光源装置は、前記指標は、前記ランプが発光した際の輝度が、前記指標周りの輝度と近似する大きさであることを特徴とする。
【００２０】
また、本発明に係る光源装置は、前記ランプクリップは、一面に前記保持部が並設されている板状の基部を備え、前記目印は、前記基部の一面から他面に貫通した凹所又は孔であることを特徴とする。
【００２１】
また、本発明に係る光源装置は、前記指標は、前記ランプと対向する場所にあることを特徴とする。
【００２２】
また、本発明に係る光源装置は、前記指標は、凹部（又は凸部）であり、前記ランプクリップは、一面に前記保持部が並設されている板状の基部を備え、前記目印は、前記基部の他面に前記凹部（又は凸部）と対応して形成されている凸部（又は凹部）であることを特徴とする。
【００２３】
また、本発明に係る光源装置は、前記一面に、前記凸部（又は凹部）に対応する目印が形成されていることを特徴とする。
【００２４】
また、本発明に係る光源装置は、前記ランプクリップは、一面に前記保持部が並設されている板状の基部を備え、前記目印は前記一面に形成されていることを特徴とする。
【００２５】
また、本発明に係る光源装置は、前記基部は、前記保持部の間に突設されている柱形突起を有し、前記目印は前記柱形突起に設けてあることを特徴とする。
【００２６】
また、本発明に係る光源装置は、前記指標は前記基部と対向する場所に配されていることを特徴とする。
【００２７】
また、本発明に係るランプクリップは、隣り合う複数本のランプを保持する複数個の保持部を有するランプクリップにおいて、自身が配置される場所に形成される指標に対応する目印が形成されていることを特徴とする。
【００２８】
本発明にあっては、ランプクリップには、各ランプクリップの配置場所を示して取付板に形成される複数種類の指標の内、自身が配置される場所に形成される指標に対応する目印が形成されているため、異なる種類の指標に対応する目印は夫々異なる。つまり、ランプクリップに形成されている目印を手がかりに、ランプクリップは目視で容易に区別される。
また、ランプクリップに形成されている目印に対応する指標は、このランプクリップの配置場所を示す指標であるため、ランプクリップに形成されている目印と取付板に形成されている指標とを手がかりに、ランプクリップの配置は目視で容易に認識される。
【００２９】
取付板に形成されている指標はランプが発光した際の輝度が、指標周りの輝度と近似する大きさであるため、指標による輝度の低下を微小にでき、指標に影響されない輝度を得ることができる。
また、指標はランプと対向する場所にあり、ランプの背後に隠れているため、指標による輝度の低下をより一層微小にでき、指標に影響されない輝度を得ることができる。
【００３０】
本発明にあっては、ランプクリップの目印が、一面に保持部が設けられている板状の基部に形成されており、この目印は、基部の一面から他面に貫通した凹所又は孔である。つまり、ランプクリップに形成されている目印を手がかりに、ランプクリップは視覚及び／又は触覚によって容易に区別される。
取付板の指標はランプクリップの基部と対向する場所にあり、ランプクリップの背後に隠れているため、指標による輝度の低下を抑制でき、指標の影響が少ない輝度を得ることができる。
【００３１】
複数の保持部は基部の一面に並設されているため、この一面はランプ側に向けれられ、基部の他面はランプが並置される取付板側に向けられる。このため、ランプクリップに形成されている凹所又は孔を通して、取付板に形成されている指標を視認可能である。
【００３２】
本発明にあっては、取付板に、各ランプクリップの配置場所を示す複数種類の指標として、凹部（又は凸部）が形成されている。
また、ランプクリップの目印が、一面に保持部が設けられている板状の基部の他面に形成されており、この目印は、取付板に形成されている凹部（又は凸部）と対応する凸部（又は凹部）である。つまり、ランプクリップに形成されている目印を手がかりに、ランプクリップは視覚及び／又は触覚によって容易に区別される。
【００３３】
複数の保持部は基部の一面に並設されているため、この一面はランプ側に向けれられ、基部の他面はランプが並置される取付板側に向けられる。このため、ランプクリップの基部の他面に形成されている凸部（又は凹部）を取付板に形成されている凹部（又は凸部）に対応させることによって、目印と指標とを容易に対応させることが可能である。
ただし、対応しないランプクリップの凸部（又は凹部）と取付板の凹部（又は凸部）とは対応しない。
【００３４】
本発明にあっては、ランプクリップの基部の一面に、保持部と、基部の他面に形成されている凸部（又は凹部）に対応する目印とが形成されている。
複数の保持部が並設されている基部の一面はランプ側に向けられ、基部の他面はランプが並置される取付板側に向けられる。即ち、ランプクリップの基部の一面は、作業者が見たり触れたりし易い表面であり、他面は見たり触れたりし難い裏面である。
【００３５】
つまり、作業者が容易に確認可能なランプクリップの基部の表面に、このランプクリップの種類を示す目印が形成されているため、異なる種類のランプクリップが更に容易に見分けられる。
仮に、基部の表面に、裏面の凸部（又は凹部）に対応する目印が形成されていない場合、作業者は、いちいち基部の裏面側を確認して、凸部（又は凹部）の種類を形状、色等を把握することによって、ランプクリップの種類を見分けなければならない。
また、基部の表面で保持部の間に突設されている柱形部材に目印が設けられているため、目印を有するランプクリップの形状を簡素にできる。
【発明の効果】
【００３６】
本発明の光源装置及びランプクリップによる場合、ランプクリップに形成されている目印を手がかりに、作業者がランプクリップを目視で容易に区別することができる。このため、異なる種類のランプクリップの複数個の保持部の離隔距離の差異が小さい場合でも、作業者がランプクリップの種類を容易に見分けることができ、作業性を向上させることができる。
【００３７】
また、ランプクリップに形成されている目印と取付板に形成されている指標とを手がかりに、ランプクリップの配置場所を目視で容易に認識することができるため、ランプクリップを正確に配置することができる。
このため、例えばランプの並置ピッチの差異が小さい場合でも、ランプクリップで保持すべき複数本のランプ、即ちランプクリップの複数個の保持部の離隔距離に対応する並置ピッチを有する複数本のランプを作業者が容易に見分けることができ、作業性を向上させることができる。
【００３８】
本発明の光源装置による場合、ランプクリップに形成されている目印を手がかりに、作業者がランプクリップを視覚及び／又は触覚によって確実に区別することができる。
また、ランプクリップに形成されている目印と取付板に形成されている指標とを対応させて、ランプクリップを正確に配置することができる。しかも、凹所又は孔を通して、指標を視認することができるため、例えば、ランプクリップの配置後に、凹所又は孔と指標との対応を目視で確認することによって、ランプクリップが正確に配置されているか否かを目視で容易に確認することができる。
【００３９】
本発明の光源装置による場合、ランプクリップに形成されている目印を手がかりに、作業者がランプクリップを視覚及び／又は触覚によって確実に区別することができる。
また、ランプクリップに形成されている目印である凸部（又は凹部）と取付板に形成されている指標である凹部（又は凸部）とを対応させて、ランプクリップを正確に配置することができる。しかも、対応するランプクリップの凸部（又は凹部）と取付板の凹部（又は凸部）とは対応し、対応しないランプクリップの凸部（又は凹部）と取付板の凹部（又は凸部）とは対応しないため、互いが対応するか否かを更に容易に確認することができる。
【００４０】
本発明の光源装置による場合、ランプクリップの基部の表面（前述の他面）に形成されている目印を手がかりに、作業者がランプクリップを視覚及び／又は触覚によって容易に区別して、このランプクリップを正確に配置することができる。また、基部の表面で保持部の間に突設されている柱形部材に目印が設けられているため、目印を有するランプクリップの形状を簡素にでき、コストを低減できる。
【００４１】
取付板の指標はランプが発光した際の輝度が、指標周りの輝度と近似する大きさに形成されているため、指標による輝度の低下を微小にでき、指標に影響されない輝度を得ることができる。
また、指標はランプの背後に隠れているため、指標による輝度の低下をより一層微小にでき、指標に影響されない輝度を得ることができる。
また、指標はランプクリップの背後に隠れているため、指標による輝度の低下を抑制でき、指標の影響が少ない輝度を得ることができる。
【発明を実施するための最良の形態】
【００４２】
以下、本発明を、その実施の形態を示す図面に基づいて詳述する。
実施の形態  １．
図１は、本発明の実施の形態１に係る光源装置１を備える液晶表示装置５の概略縦断面図、図２は、光源装置１のランプクリップ３１部分を拡大した縦断面図、図３は、ランプクリップ３１の構成を示す斜視図、図４は、ランプクリップ３１，３２，３３，３４の配置手順を示してある光源装置１の上部正面図、図５及び図６は、ランプクリップ３１，３２が取付けられている状態を示す一部を省略した正面図である。図４〜図６には、後述するランプ２１〜２８が配される位置が二点鎖線で示してある。
【００４３】
光源装置１は図１に示すように、図示しない脚部を備える薄型液晶表示装置５のバックライト装置として用いられ、前面視矩形状の液晶表示パネル５１の背後に配置されている。
本実施の形態における光源装置１は、上下に離隔して並置されるランプ２１〜２８を含む複数のランプを備える。これらのランプ２１〜２８の配置は、光源装置１の上下方向中央部を中心に上下対称であるため、以下では、光源装置１の上部側に配されているランプ２１〜２８に関し、下部側の説明は省略する。
【００４４】
光源装置１は、ランプ２１〜２８が取付けられる取付板としてのシャーシ１１を備える。シャーシ１１は、矩形皿状に成形されている金属部材の内面上に、光を反射する図示しない反射シートを配するか、又は光を反射する塗料を塗布してなる。このため、シャーシ１１は反射シート等による反射層を有し、ランプ２１〜２８が放射する光を液晶表示パネル５１側へ反射する機能がある。
【００４５】
以下では、シャーシ１１の反射シート等の反射層に関する記載は省略する。シャーシ１１には、後述するように、シャーシ１１にランプクリップ３１〜３４を取付けるための係止孔１１１〜１１４が形成されている。
【００４６】
各ランプ２１〜２８は細長杆状であり、具体的には長尺小径（長さ数十ｃｍ以上、内径５ｍｍ以下）の円管状であって、互いに略同形状である。また、各ランプ２１〜２８は、長さ１２００ｍｍで最大約０．５ｍｍ湾曲することが可能になっている。
【００４７】
図４に示すように、ランプ２１〜２８は、この順に、光源装置１の上下方向中央部から上端部へピッチが増加するように平行に並置される。
具体的には、光源装置１の上下方向中央部にランプ２１が配され、ランプ２１の上方に、２２．５ｍｍのピッチでランプ２２が配され、ランプ２２の上方に、２３．０ｍｍのピッチでランプ２３が配され、ランプ２３の上方に、２３．５ｍｍのピッチでランプ２４が配される。
同様にして、ランプ２４（２５，２６，２７）の上方に、２４．０（２４．５，２５．０，２５．５）ｍｍのピッチでランプ２５（２６，２７，２８）が配される。
【００４８】
ランプ２１〜２８のピッチは、図４〜図６に示される二点鎖線間の離隔距離に対応する。
【００４９】
このように、上下方向中央部は密に、上下端部は疎にランプ２１〜２８を配することによって、液晶表示パネル５１の画面の上下方向中央部における輝度が最も高くなり、上下方向中央部から上下端部へ向かうに従って画面の輝度が徐々に低くなる。この場合、液晶表示パネル５１の輝度ムラを抑制しつつ十分な輝度が確保され、しかも、光源装置１を構成するランプの本数が減少する。
【００５０】
各ランプ２１〜２８は、シャーシ１１に取付けられている図示しないランプホルダによって両端部が保持される。
ランプ２１，２２の中央部は、１個又は２個のランプクリップ３１によって保持される。同様に、ランプ２３，２４、ランプ２５，２６及びランプ２７，２８夫々の中央部は、１個又は２個のランプクリップ３２，３３，３４によって保持される。図４には、ランプ２１〜２８の中央部１箇所を、計４個のランプクリップ３１，３２，３３，３４で保持する手順が例示してある。
【００５１】
各ランプクリップ３１〜３４は同様の形状であるため、以下では主にランプクリップ３１の形状を説明し、他のランプクリップ３２〜３４の説明を省略する。
図１〜図４に示すように、ランプクリップ３１は、矩形平板状の基部３１１を備え、一部に開口部を有する欠円状把持形状の二つの保持部３１２，３１２が基部３１１の長手方向両側の一面（表面）に一体に突設してあり、係止部３１４，３１４が基部３１１の長手方向両側の他面（裏面）に一体に突設してある。
【００５２】
このようなランプクリップ３１は、例えば無色透明又は白色のアクリル樹脂を用いて一体成形してなる。ランプクリップ３１が無色透明であれば、ランプクリップ３１の影が液晶表示パネル５１の輝度を低下させることが抑制されるし、ランプクリップ３１が白色であれば、ランプクリップ３１本体の液晶表示パネル５１への写り込みを抑制することができる。また、合成樹脂を用いた一体成形であるため容易に製造される。
【００５３】
各保持部３１２は、保持部３１２が可撓性を有するための適宜の厚みに形成されている。保持部３１２の内部の寸法は、ランプ２１の外径より僅かに小さい。ランプ２１，２２は、保持部３１２，３１２の開口部から、保持部３１２，３１２の開口部の両側部を外側へ撓ませつつ保持部３１２，３１２内部へ押し入れられる。ランプ２１，２２の保持部３１２，３１２内部への挿入後、保持部３１２，３１２の開口部の両側部が弾性復元力によってランプ２１，２２を挟持することによって、ランプ２１，２２は保持部３１２，３１２に把持される。
【００５４】
保持部３１２，３１２は、基部３１１の長手方向にＸｍｍ離隔して並置されている。ランプクリップ３１に関し、保持部３１２，３１２の離隔距離Ｘは２２．５ｍｍである。この距離は、ランプ２１，２２のピッチに略等しい。
【００５５】
ここで、図１及び図４に示すように、ランプクリップ３１と同様、ランプクリップ３２は、基部３１１に対応する基部３２１と、保持部３１２，３１２に対応する保持部３２２，３２２と、係止部３１４，３１４に対応する係止部とを備える。ただし、ランプクリップ３２に関し、保持部３２２，３２２の離隔距離Ｘは２３．５ｍｍである。この距離は、ランプ２３，２４のピッチに略等しい。
【００５６】
同様に、ランプクリップ３３（３４）は、基部３１１に対応する基部３３１（３４１）と、保持部３１２，３１２に対応する保持部３３２，３３２（３４２，３４２）と、係止部３１４，３１４に対応する係止部とを備える。ただし、ランプクリップ３３（３４）に関し、保持部３３２，３３２（３４２，３４２）の離隔距離Ｘは２４．５（２５．５）ｍｍである。この距離は、ランプ２５，２６（２７，２８）のピッチに略等しい。
【００５７】
図２及び図３に示すように、係止部３１４，３１４は、保持部３１２，３１２の略真裏に配されている矢符状であり、矢符の基端側が基部３１１に連続しており、矢符の先端側は可撓性を有する。
【００５８】
ランプクリップ３１は、係止部３１４，３１４が、シャーシ１１に形成されている係止孔１１１，１１１（図４及び図５）にシャーシ１１の内側から外側へ挿入されることによって、シャーシ１１に取付けられる。この場合、係止部３１４，３１４は、係止孔１１１，１１１への挿入時に先端部が撓んで小型化し、挿入完了後、係止部３１４，３１４の先端部が弾性復元することによって、シャーシ１１に係止される。
【００５９】
ランプクリップ３１，３２，３３，３４を取付けるべきシャーシ１１の係止孔１１１，１１１，１１２，１１２，１１３，１１３，１１４，１１４夫々は、図４に示すように、ランプ２１〜２８の背後に相当する位置、換言するとランプ２１〜２８と対向する位置に形成される。
また、係止孔１１１，１１１と、係止孔１１２，１１２と、係止孔１１３，１１３と、係止孔１１４，１１４とはランプ２１〜２８の並置方向に千鳥配置に形成される。このため、ランプ２１，２２を保持するランプクリップ３１と、ランプ２３，２４を保持するランプクリップ３１と、ランプ２５，２６を保持するランプクリップ３２と、ランプ２７，２８を保持するランプクリップ３２とは千鳥配置される。
【００６０】
ところで、ランプ２１，２２のピッチとランプ２２，２３のピッチとの差異は０．５ｍｍである。同様に、ランプ２３，２４のピッチとランプ２４，２５のピッチとの差異、…、ランプ２６，２７のピッチとランプ２７，２８との差異も夫々０．５ｍｍである。
このため、ランプクリップ３１の保持部３１２，３１２の離隔距離Ｘとランプクリップ３２の保持部３２２，３２２の離隔距離Ｘとの差異、…、ランプクリップ３３の保持部３３２，３３２の離隔距離Ｘとランプクリップ３４の保持部３４２，３４２の離隔距離Ｘとの差異は夫々０．５ｍｍである。
【００６１】
この結果、特に光源装置１の生産作業時に、作業者が離隔距離Ｘを手がかりにランプクリップ３１〜３４を見分けることは困難である。
同様に、ランプクリップ３１を配置すべきランプ２１，２２、ランプクリップ３２を配置すべきランプ２３，２４、…、ランプクリップ３４を配置すべきランプ２７，２８を、ランプ２１〜２８のピッチを手がかりにして見分けることは困難である。
【００６２】
図４〜図６に示すように、本実施の形態においては、ランプクリップ３１〜３４を区別するために、ランプクリップ３１の基部３１１に目印３１３を形成してあり、ランプクリップ３２（３３，３４）の基部３２１（３３１，３４１）に目印３２３（３３３，３４３）を形成してある。目印３１３〜３４３は互いに異なる種類の目印である。
【００６３】
また、シャーシ１１に、ランプクリップ３１の配置場所を示す指標４１が形成してある。更に、シャーシ１１には、ランプクリップ３２（３３，３４）の配置場所を示す指標４２（４３，４４）が形成してあり、指標４１〜４４夫々は互いに異なる種類の指標である。
【００６４】
以下では、まず、指標４１〜４４について更に詳細に説明する。
指標４１は、ランプ２２の背後に相当する位置に形成されている係止孔１１１の近傍に形成される小型の矩形状の指標である。
指標４２は、ランプ２３，２４の背後に相当する位置に形成されている係止孔１１２，１１２の近傍に形成される２個の小型の矩形状の指標である。
指標４３は、ランプ２５の背後に相当する位置に形成されている係止孔１１３の近傍に形成される小型の円形状の指標である。
指標４４は、ランプ２７，２８の背後に相当する位置に形成されている係止孔１１４，１１４の近傍に形成される２個の小型の円形状の指標である。
【００６５】
各指標４１，４２，４３，４４は、例えば塗料を用いてシャーシ１１上に手動で描画、又は印刷機で印刷することによって形成してもよく、シャーシ１１に穴又は孔を穿つことによって形成してもよい。これらは十分に小さい寸法であるため、指標４１，４２，４３，４４が形成されることによるシャーシ１１の反射機能の低下は抑制される。
指標は大きく、反射率が低いほど、作業者が容易に指標を認識できるが、極端に大きく、反射率が低いとシャーシ１１の反射機能の低下を招く。そのため、指標の大きさが制限される。反射機能の低下の程度は、ランプの並置ピッチ、シャーシ１１とランプ、及び液晶表示パネルとの距離によって変化する。一般的にシャーシ上に反射機能を低下させるものがあった場合、液晶表示パネル側から見るとその部分の輝度が下がり、影のように見える。従って、設計段階において光学装置の外から認識できる大きさ等を測定し、それよりも小さい又は反射率が高い指標とすることによって反射機能の低下を抑えることができる。このように条件によって指標の大きさの上限は異なるが、ある光源装置では、直径２ｍｍ、５０％グレーの指標であれば、問題ないことが確認されている。
また、指標の大きさ、反射率の判断は計算上からも推定できる。例としてランプの並置ピッチが２５ｍｍの光源装置において、直径２ｍｍの指標が問題となるかを検討する。光源装置において、内部の光はランプの位置が認識できない程度に拡散していると考えられる。すると２５ｍｍ×２５ｍｍの範囲で光は拡散していると考えられるので、その中に反射率の低い部分があれば、他の領域よりも輝度が下がることになる。認識できる輝度差はウエーバーの法則等から一般的に１％程度であるので、輝度差が１％程度以上あると、輝度ムラとして認識されてしまうと考えられる。従って、この領域の面積における指標の面積が１％以下であれば問題ないと推定できる。この領域の面積は６２５平方ミリ（２５×２５）、指標の面積は３．１４平方ミリ（１×１×３．１４）であり、比は０．５％であり問題とはならない。
【００６６】
なお、指標４１，４２，４３，４４が、ランプ２１〜２８の背後に隠されるようランプ２１〜２８と対向する位置に指標４１，４２，４３，４４を設定してもよい。この場合、指標４１，４２，４３，４４が形成されることによるシャーシ１１の反射機能の低下は更に抑制される。
【００６７】
次に、目印３１３〜３４３について更に詳細に説明する。
目印３１３は、ランプクリップ３１の基部３１１の４辺部の内の１辺部に、基部３１１の表面から裏面にわたって貫通して形成されており、具体的には、１個の矩形状の切り欠き状部分（凹所）である。この目印３１３は、ランプクリップ３１をシャーシ１１に正確に配した場合の指標４１に対応する位置に形成されている。
【００６８】
目印３２３は、ランプクリップ３２の基部３２１の４辺部の内の１辺部に、基部３２１の表面から裏面にわたって貫通して形成されており、具体的には、１辺部に並置された２個の矩形状の切り欠き状部分（凹所）である。この目印３２３は、ランプクリップ３２をシャーシ１１に正確に配した場合の二つの指標４２に対応する位置に形成されている。
【００６９】
目印３３３は、ランプクリップ３３の基部３３１の４隅部の内の１隅部に、基部３３１の表面から裏面にわたって貫通して形成されており、具体的には、１個の三角形状の切り欠き状部分（凹所）である。この目印３３３は、ランプクリップ３３をシャーシ１１に正確に配した場合の指標４３に対応する位置に形成されている。
【００７０】
目印３４３は、ランプクリップ３４の基部３４１の４隅部の内の２隅部に、基部３４１の表面から裏面にわたって貫通して形成されており、具体的には、２隅部夫々に１個ずつ、計２個の三角形状の切り欠き状部分（凹所）である。この目印３４３は、ランプクリップ３４をシャーシ１１に正確に配した場合の二つの指標４４に対応する位置に形成されている。
本実施の形態においては、切り欠き状部分（凹所）である目印３１３，３２３，３３３，３４３は、ランプクリップ３１，３２，３３，３４が一体成形される場合に同時的に形成されるが、基部３１１，３２１，３３１，３４１を矩形に成形してから、基部３１１，３２１，３３１，３４１を適宜に切り欠くことによって形成してもよい。
【００７１】
次に、ランプクリップ３１，３２，３３，３４の配置手順について説明する。
作業者は、目印３１３を手がかりにランプクリップ３１を準備し、図４に示すように、目印３１３と指標４１とを手がかりに、ランプクリップ３１の係止部３１４，３１４を係止孔１１１，１１１に係止することによって、ランプクリップ３１をシャーシ１１に取付ける。
また、作業者は、目印３２３を手がかりにランプクリップ３２を準備し、目印３２３と指標４２とを手がかりに、ランプクリップ３２を係止孔１１２，１１２に取付ける。
【００７２】
ランプクリップ３１，３２が正確に配置された場合、図５に示すように、矩形状の目印３１３からは矩形状の指標４１が視認可能であり、目印３２３からは指標４２が視認可能である。
【００７３】
同様に、作業者は、目印３３３を手がかりにランプクリップ３３を準備し、図４に示すように、目印３３３と指標４３とを手がかりに、ランプクリップ３３を係止孔１１３，１１３に取付ける。
また、作業者は、目印３４３を手がかりにランプクリップ３４を準備し、目印３４３と指標４４とを手がかりに、ランプクリップ３４を係止孔１１４，１１４に取付ける。
【００７４】
ランプクリップ３３，３４が正確に配置された場合、図６に示すように、三角形状の目印３４３からは円形状の指標４３が視認可能であり、目印３４３からは指標４４が視認可能である。
【００７５】
以上のような光源装置１は、隣り合う２本のランプ２１，２２、ランプ２３，２４、ランプ２５，２６、及びランプ２７，２８を一組として、夫々１個のランプクリップ３１〜３４で保持する。
このため、光源装置１が備えるランプクリップ３１〜３４の個数が、ランプ２１〜２８を１本毎に保持する場合（８個）よりも減少し、しかも、ランプ２１〜２８の保持作業の工数が減少する。
【００７６】
また、ランプ２１〜２８に対応する正確なランプクリップ３１〜３４を容易に取付けられるため、目印３１３，３２３，３３３，３４３と指標４１，４２，４３，４４とを形成するという簡易な手段によって、作業者の利便性が向上され、また、光源装置１の性能、品質等が容易に向上する。
【００７７】
仮に、誤まったランプクリップ３１〜３４をランプ２１〜２８に取付けた場合、例えばランプ２１，２２に対してランプクリップ３４を取付けた場合、ランプクリップ３４の保持部３４２，３４２の離隔距離は、ランプ２１，２２のピッチと異なるため、ランプ２１，２２の保持が困難になる。
【００７８】
なお、切り欠き状部分である目印３１３，３２３，３３３，３４３の代わりに、基部３１１，３２１，３３１，３４１を貫通する（表面から裏面にわたる）孔を形成してもよい。この場合も、ランプクリップ３１〜３４を正確な位置に配した場合、作業者は、この孔を通して、シャーシ１１に形成された指標を視認することができる。
また、切り欠き状部分又は孔の代わりに、ランプクリップ３１〜３４に形成された凸部、文字、マーク等を目印として用いてもよい。
更に、各ランプクリップは、ランプの並置方向へ離隔する３個以上の保持部を有する構成でもよい。
【００７９】
実施の形態  ２．
図７及び図８，図９及び図１０，図１１及び図１２は、本発明の実施の形態２に係る光源装置が備えるランプクリップ３５，３６，３７の構成を示す側面図及び底面図、図１３は、ランプクリップ３５，３６，３７の配置手順を示してある光源装置の一部を省略した平面図である。図１３には、ランプ５１〜５６が配される位置が二点鎖線で示してある。
【００８０】
本実施の形態に係る光源装置は、実施の形態１に係る光源装置１と類似の構成であり、例えば、ランプクリップ３５，３６，３７は実施の形態１のランプクリップ３１〜３４に対応し、ランプ５１〜５６は、実施の形態１のランプ２１〜２８に対応する。このため、以下では、実施の形態１に係る光源装置１との相違点について主に説明する。
【００８１】
図１３に示すように、光源装置は、ランプ５１〜５６が取付けられる取付板としてのシャーシ１２を備え、シャーシ１２は、実施の形態１のシャーシ１１に対応する。
ランプ５１〜５６は、この順に、光源装置の上下方向中央部から上端部へ、ピッチの増加と維持とを繰り返すように平行に並置される。
【００８２】
具体的には、光源装置の上下方向中央部にランプ５１が配され、ランプ５１の上方に、２３．０ｍｍのピッチでランプ５２が配され、ランプ５２の上方に、同じく２３．０ｍｍのピッチでランプ５３が配され、ランプ５３の上方に、２５．０ｍｍのピッチでランプ５４が配され、ランプ５４の上方に、同じく２５．０ｍｍのピッチでランプ５５が配される。
同様にして、ランプ５５の上方に、２７．０ｍｍのピッチでランプ５６が配され、ランプ５６の上方に、同じく２７．０ｍｍのピッチで図示しないランプが配され、更にこのランプの上方に、各２９．０ｍｍのピッチで図示しない２本のランプが配される。
【００８３】
このように、上下方向中央部は密に、上下端部は疎に、ランプ５１〜５６を配する。ランプ５１〜５６の並置ピッチは、図１３に示される二点鎖線間の離隔距離に対応する。
【００８４】
更に、ランプ５１，５２の中間部は、１個又は２個のランプクリップ３５によって保持される。同様に、ランプ５３，５４及びランプ５５，５６夫々の中間部は、１個又は２個のランプクリップ３６，３７によって保持される。
なお、２９．０ｍｍの並置ピッチで配されている２本のランプに対しては、実施の形態３で示すランプクリップ３８を用いるようにしてもよい。
図１３には、ランプ５１〜５６の中間部１箇所を、計３個のランプクリップ３５，３６，３７で保持する手順が例示してある。
【００８５】
図７〜図１３に示すように、各ランプクリップ３５，３６，３７は、基部３５１，３６１，３７１、保持部３５２，３５２，３６２，３６２，３７２，３７２、及び係止部３５４，３５４，３６４，３６４，３７４，３７４を備える。これらは、実施の形態１のランプクリップ３１が備える基部３１１、保持部３１２，３１２、及び係止部３１４，３１４に対応する。
ここで、保持部３５２，３５２の離隔距離は２３．０ｍｍであり、保持部３６２，３６２の離隔距離は２５．０ｍｍであり、保持部３７２，３７２の離隔距離は２７．０ｍｍである。
【００８６】
図７、図８及び図１３に示すように、ランプクリップ３５は、基部３５１の一面（表面）に関し、保持部３５２，３５２間の中央部に一体に表面目印３５５が突設してあり、基部３５１の他面（裏面）に関し、係止部３５４，３５４間の中央部に一体に裏面目印３５３が突設してある。
基部３５１表面の表面目印３５５は、基部３５１裏面の裏面目印３５３に形状及び形成位置が対応し、具体的には、裏面目印３５３及び表面目印３５５は、夫々平面視が十字状の凸部である。
【００８７】
同様に、図９、図１０及び図１３に示すように、ランプクリップ３６は、基部３６１の一面（表面）に関し、保持部３６２，３６２間の中央部に一体に表面目印３６５が突設してあり、基部３６１の他面（裏面）に関し、係止部３６４，３６４間の中央部に一体に裏面目印３６３が突設してある。
基部３６１表面の表面目印３６５は、基部３６１裏面の裏面目印３６３に対応し、具体的には、裏面目印３６３及び表面目印３６５は、夫々平面視が正方形状の凸部である。
【００８８】
更に同様に、図１１、図１２及び図１３に示すように、ランプクリップ３７は、基部３７１の一面（表面）に関し、保持部３７２，３７２間の中央部に一体に表面目印３７５が突設してあり、基部３７１の他面（裏面）に関し、係止部３７４，３７４間の中央部に一体に裏面目印３７３が突設してある。
基部３７１表面の表面目印３７５は、基部３７１裏面の裏面目印３７３に対応し、具体的には、裏面目印３７３及び表面目印３７５は、夫々平面視が菱形状の凸部である。
【００８９】
以上のような裏面目印３５３，３６３，３７３は互いに異なる種類の目印であり、この裏面目印３５３，３６３，３７３に夫々対応する表面目印３５５，３６５，３７５も、互いに異なる種類の目印である。
【００９０】
ランプクリップ３５，３６，３７を取付けるべきシャーシ１２の係止孔１２１，１２１，１２２，１２２，１２３，１２３は、図１３に示すように、ランプ５１〜５６の背後に相当する位置に形成される。これらは、実施の形態１のランプクリップ３１，３２，３３，３４を取付けるべきシャーシ１１の係止孔１１１，１１１，１１２，１１２，１１３，１１３，１１４，１１４に対応する。
【００９１】
また、シャーシ１２に、ランプクリップ３５，３６，３７夫々の配置場所を示す指標４５，４６，４７が形成してある。指標４５，４６，４７夫々は互いに異なる種類の指標であり、シャーシ１２に穴又は孔を形成してなる。
指標４５は、ランプ５１，５２に係る係止孔１２１，１２１間の中央部に形成されており、ランプクリップ３５が係止孔１２１，１２１に取付けられた場合に、ランプクリップ３５の基部３５１裏面の凸部である裏面目印３５３に対応可能な十字状の凹部である。
【００９２】
同様に、指標４６は、ランプ５３，５４に係る係止孔１２２，１２２間の中央部に形成されており、ランプクリップ３６が係止孔１２２，１２２に取付けられた場合に、ランプクリップ３６の基部３６１裏面の凸部である裏面目印３６３に対応可能な正方形状の凹部である。
更に同様に、指標４７は、ランプ５５，５６に係る係止孔１２３，１２３間の中央部に形成されており、ランプクリップ３７が係止孔１２３，１２３に取付けられた場合に、ランプクリップ３７の基部３７１裏面の凸部である裏面目印３７３に対応可能な菱形状の凹部である。
【００９３】
以下に、ランプクリップ３５，３６，３７の配置手順について説明する。
作業者は、表面目印３５５を手がかりにランプクリップ３５を準備し、図１３に示すように、表面目印３５５と指標４５とを手がかりに、ランプクリップ３５の係止部３５４，３５４を係止孔１２１，１２１に係止し、同時的に、図７及び図８に示す裏面目印３５３を図１３に示す指標４５に対応することによって、ランプクリップ３５をシャーシ１２に取付ける。
【００９４】
表面目印３５５と裏面目印３５３とは形状及び形成位置が対応しているため、作業者が確認し難い裏面目印３５３を確認することなく、確認し易い表面目印３５５を確認することによって、ランプクリップ３５を見分け、また、ランプクリップ３５を取付けるべき係止孔１２１，１２１を、裏面目印３５３に対応する指標４５、即ち表面目印３５５に対応する指標４５を手がかりにして見分ける。
【００９５】
更に、裏面目印３５３と指標４５とが対応することによって、ランプクリップ３５が係止孔１２１，１２１に取付けられるべき正確な部材であることが確認される。
仮に、裏面目印３５３と指標４５とが対応しない場合は、ランプクリップ３５が係止孔１２１，１２１に取付けられるべき部材ではないか、又は、ランプクリップ３５の形状、サイズ等に狂いがあるか等の不具合が生じていることがわかる。
【００９６】
同様に、作業者は、表面目印３６５を手がかりにランプクリップ３６を準備し、図１３に示すように、表面目印３６５と指標４６とを手がかりに、ランプクリップ３６の係止部３６４，３６４を係止孔１２２，１２２に係止し、同時的に、図９及び図１０に示す裏面目印３６３を図１３に示す指標４６に対応することによって、ランプクリップ３６をシャーシ１２に取付ける。
【００９７】
更に同様に、作業者は、表面目印３７５を手がかりにランプクリップ３７を準備し、図１３に示すように、表面目印３７５と指標４７とを手がかりに、ランプクリップ３７の係止部３７４，３７４を係止孔１２３，１２３に係止し、同時的に、図１１及び図１２に示す裏面目印３７３を図１３に示す指標４７に対応することによって、ランプクリップ３７をシャーシ１２に取付ける。
【００９８】
ランプクリップ３５，３６，３７夫々が正確に配置された場合、指標４５，４６，４７は、ランプクリップ３５，３６，３７の背後に隠されるため、指標４５，４６，４７が形成されることによるシャーシ１２の反射機能の低下は抑制される。
【００９９】
以上のような光源装置は、隣り合う２本のランプ５１，５２、ランプ５３，５４、及びランプ５５，５６を一組として、夫々１個のランプクリップ３５，３６，３７で保持する。
このため、光源装置が備えるランプクリップ３５，３６，３７の個数が、ランプ５１〜５６を１本毎に保持する場合（６個）よりも減少し、しかも、ランプ５１〜５６の保持作業の工数が減少する。
【０１００】
また、ランプ５１〜５６に対応するランプクリップ３５，３６，３７を容易に取付けられるため、表面目印３５５，３６５，３７５及び裏面目印３５３，３６３，３７３と指標４５，４６，４７とを形成するという簡易な手段によって、作業者の利便性が向上され、また、光源装置の性能、品質等が容易に向上する。
【０１０１】
なお、裏面目印３５３，３６３，３７３を凹部とし、指標４５，４６，４７を凸部とする構成でもよい。また、表面目印３５５，３６５，３７５が凸部である構成に限定されず、凹部、文字、マーク等であってもよい。
【０１０２】
実施の形態  ３．
図１４及び図１５，図１６及び図１７，図１８及び図１９は、本発明の実施の形態３に係る光源装置が備えるランプクリップ３８，３９，３０の構成を示す側面図及び底面図、図２０は、ランプクリップ３８，３９，３０の配置手順を示してある光源装置の一部を省略した正面図である。図２０には、ランプ６１〜６６が配される位置が二点鎖線で示してある。
【０１０３】
本実施の形態に係る光源装置は、実施の形態１、２に係る光源装置と同様であり、例えば、ランプクリップ３８，３９，３０は実施の形態２のランプクリップ３５，３６，３７に対応し、ランプ６１〜６６は、実施の形態２のランプ５１〜５６に対応する。このため、以下では、実施の形態２に係る光源装置との相違点について主に説明する。
【０１０４】
図２０に示すように、光源装置は、ランプ６１〜６６が取付けられる取付板としてのシャーシ１３を備え、シャーシ１３は、実施の形態２のシャーシ１２に対応する。
ランプ６１〜６６は、この順に、光源装置の上下方向中央部から上端部へ、ピッチの増加と保持とを繰り返すように平行に並置される。
【０１０５】
具体的には、光源装置の上下方向中央部に、２７．０ｍｍのピッチで図示しない２本のランプが配され、これらのランプの上方に、同じく２７．０ｍｍのピッチでランプ６１が配され、ランプ６１の上方に、２９．０ｍｍのピッチでランプ６２が配され、ランプ６２の上方に、同じく２９．０ｍｍのピッチでランプ６３が配され、ランプ６３の上方に、３１．０ｍｍのピッチでランプ６４が配される。
【０１０６】
同様にして、ランプ６４の上方に、同じく３１．０ｍｍのピッチでランプ６５が配され、ランプ６５の上方に、３３．０ｍｍのピッチでランプ６６が配され、更にこのランプの上方に、同じく３３．０ｍｍのピッチで図示しないランプが配される。
【０１０７】
このように、上下方向中央部は密に、上下端部は疎に、ランプ６１〜６６を配する。ランプ６１〜６６の並置ピッチは、図２０に示される二点鎖線間の離隔距離に対応する。
【０１０８】
更に、ランプ６１，６２の中間部は、１個又は２個のランプクリップ３８によって保持される。同様に、ランプ６３，６４及びランプ６５，６６夫々の中間部は、１個又は２個のランプクリップ３９，３０によって保持される。
なお、２９．０ｍｍの並置ピッチで配されている２本のランプに対しては、実施の形態２で示したランプクリップ３７を用いるようにしてもよい。
図２０には、ランプ６１〜６６の中間部１箇所を、計３個のランプクリップ３８，３９，３０で保持する手順が例示してある。
【０１０９】
図１４〜図２０に示すように、各ランプクリップ３８，３９，３０は、基部３８１，３９１，３０１、保持部３８２，３８２，３９２，３９２，３０２，３０２、及び係止部３８４，３８４，３９４，３９４，３０４，３０４を備える。これらは、例えば実施の形態２のランプクリップ３７が備える基部３７１、保持部３７２，３７２、及び係止部３７４，３７４に対応する。
ここで、保持部３８２，３８２の離隔距離は２９．０ｍｍであり、保持部３９２，３９２の離隔距離は３１．０ｍｍであり、保持部３０２，３０２の離隔距離は３３．０ｍｍである。
【０１１０】
図１４、図１５及び図２０に示すように、ランプクリップ３８は、基部３８１の一面（表面）に関し、保持部３８２，３８２間の中央部に一体に表面目印３８５が突設してあり、基部３８１の他面（裏面）に関し、係止部３８４，３８４間の中央部に一体に裏面目印３８３が突設してある。
基部３８１表面の表面目印３８５は、基部３８１裏面の裏面目印３８３に形状及び形成位置が対応し、具体的には、裏面目印３８３及び表面目印３８５は、夫々平面視が円形状の凸部である。
【０１１１】
同様に、図１６、図１７及び図２０に示すように、ランプクリップ３９は、基部３９１の一面（表面）に関し、保持部３９２，３９２間の中央部に一体に表面目印３９５が突設してあり、基部３９１の他面（裏面）に関し、係止部３９４，３９４間の中央部に一体に裏面目印３９３が突設してある。
基部３９１表面の表面目印３９５は、基部３９１裏面の裏面目印３９３に対応し、具体的には、裏面目印３９３及び表面目印３９５は、夫々平面視が保持部３９２，３９２の離隔方向（又は係止部３９４，３９４の離隔方向）に細長い矩形状の凸部である。
【０１１２】
更に同様に、図１８、図１９及び図２０に示すように、ランプクリップ３０は、基部３０１の一面（表面）に関し、保持部３０２，３０２間の中央部に一体に表面目印３０５が突設してあり、基部３０１の他面（裏面）に関し、係止部３０４，３０４間の中央部に一体に裏面目印３０３が突設してある。
基部３０１表面の表面目印３０５は、基部３０１裏面の裏面目印３０３に対応し、具体的には、裏面目印３０３及び表面目印３０５は、夫々平面視が保持部３０２，３０２の離隔方向（又は係止部３０４，３０４の離隔方向）に直交的な方向、即ちランプ６５，６６に沿う方向に細長い矩形状の凸部である。
【０１１３】
以上のような裏面目印３８３，３９３，３０３は互いに異なる種類の目印であり、この裏面目印３８３，３９３，３０３に夫々対応する表面目印３８５，３９５，３０５も、互いに異なる種類の目印である。
【０１１４】
ランプクリップ３８，３９，３０を取り付けるべきシャーシ１３の係止孔１３１，１３１，１３２，１３２，１３３，１３３は、図２０に示すように、ランプ６１〜６６の背後に相当する位置に形成される。これらは、実施の形態２のランプクリップ３５，３６，３７を取り付けるべきシャーシ１２の係止孔１２１，１２１，１２２，１２２，１２３，１２３に対応する。
【０１１５】
また、シャーシ１３に、ランプクリップ３８，３９，３０夫々の配置を示す指標４８，４９，４０が形成してある。指標４８，４９，４０夫々は互いに異なる種類の指標であり、シャーシ１３に穴又は孔を形成してなる。
指標４８は、ランプ６１，６２に係る係止孔１３１，１３１間の中央部に形成されており、ランプクリップ３８が係止孔１３１，１３１に取り付けられた場合に、ランプクリップ３８の基部３８１裏面の凸部である裏面目印３８３に対応可能な円形状の凹部である。
【０１１６】
同様に、指標４９は、ランプ６３，６４に係る係止孔１３２，１３２間の中央部に形成されており、ランプクリップ３９が係止孔１３２，１３２に取り付けられた場合に、ランプクリップ３９の基部３９１裏面の凸部である裏面目印３９３に対応可能な矩形状、即ち係止孔１３２，１３２の離隔方向に細長い矩形状の凹部である。
【０１１７】
更に同様に、指標４０は、ランプ６５，６６に係る係止孔１３３，１３３間の中央部に形成されており、ランプクリップ３０が係止孔１３３，１３３に取り付けられた場合に、ランプクリップ３０の基部３０１裏面の凸部である裏面目印３０３に対応可能な矩形状、即ち係止孔１３３，１３３の離隔方向に直交する方向に細長い矩形状の凹部である。
【０１１８】
以下に、ランプクリップ３８，３９，３０の配置手順について説明する。
作業者は、表面目印３８５を手がかりにランプクリップ３８を準備し、図２０に示すように、表面目印３８５と指標４８とを手がかりに、ランプクリップ３８の係止部３８４，３８４を係止孔１３１，１３１に係止し、同時的に、図１４及び図１５に示す裏面目印３８３を図２０に示す指標４８に対応することによって、ランプクリップ３８をシャーシ１３に取り付ける。
【０１１９】
同様に、作業者は、表面目印３９５を手がかりにランプクリップ３９を準備し、図２０に示すように、表面目印３９５と指標４９とを手がかりに、ランプクリップ３９の係止部３９４，３９４を係止孔１３２，１３２に係止し、同時的に、図１６及び図１７に示す裏面目印３９３を図２０に示す指標４９に対応することによって、ランプクリップ３９をシャーシ１３に取り付ける。
【０１２０】
更に同様に、作業者は、表面目印３０５を手がかりにランプクリップ３０を準備し、図２０に示すように、表面目印３０５と指標４０とを手がかりに、ランプクリップ３０の係止部３０４，３０４を係止孔１３３，１３３に係止し、同時的に、図１８及び図１９に示す裏面目印３０３を図２０に示す指標４０に対応することによって、ランプクリップ３０をシャーシ１３に取り付ける。
【０１２１】
ランプクリップ３８，３９，３０夫々が正確に配置された場合、指標４８，４９，４０は、ランプクリップ３８，３９，３０の背後に隠されるため、指標４８，４９，４０が形成されることによるシャーシ１３の反射機能の低下は抑制される。
【０１２２】
以上のような光源装置は、隣り合う２本のランプ６１，６２、ランプ６３，６４、及びランプ６５，６６を一組として、夫々１個のランプクリップ３８，３９，３０で保持する。
このため、光源装置が備えるランプクリップ３８，３９，３０の個数が、ランプ６１〜６６を１本毎に保持する場合（６個）よりも減少し、しかも、ランプ６１〜６６の保持作業の工数が減少する。
【０１２３】
また、ランプ６１〜６６に対応するランプクリップ３８，３９，３０を容易に取り付けられるため、表面目印３８５，３９５，３０５及び裏面目印３８３，３９３，３０３と指標４８，４９，４０とを形成するという簡易な手段によって、作業者の利便性が向上され、また、光源装置の性能、品質等が容易に向上する。
【０１２４】
なお、裏面目印３８３，３９３，３０３を凹部とし、指標４８，４９，４０を凸部とする構成でもよい。また、表面目印３８５，３９５，３０５が凸部である構成に限定されず、凹部、文字、マーク等であってもよい。
【０１２５】
実施の形態  ４．
図２１は、本発明の実施の形態４に係る光源装置のランプクリップが取付けられている状態を示す一部を省略した正面図である。
【０１２６】
本実施の形態に係る光源装置は、実施の形態１のようにシャーシ１１〜１３に設けられる指標４０〜４９を、ランプ２１〜２８の周面と対向する場所に設け、指標４０〜４９がランプ２１〜２８の背後に隠れるように構成したものである。ランプクリップ３０〜３９の目印３１３，３５５等の目印は指標４０〜４９の配置場所に対応してランプ２１〜２８の周面と対向する位置に設けられる。
【０１２７】
本実施の形態にあっては、指標４０〜４９による反射性の低下を抑制でき、指標４０〜４９による輝度ムラをなくすることができる。
その他の構成及び作用は実施の形態１、２、３と同様であるため、同様の部品については同じ符号を付し、その詳細な説明及び作用効果の説明を省略する。
【０１２８】
実施の形態  ５．
図２２は、本発明の実施の形態５に係る光源装置の他のランプクリップの構成を示すもので、(a) は側面図、(b) は底面図である。
【０１２９】
本実施の形態に係る光源装置は、実施の形態３における裏面目印３５３等の裏面目印をなくし、シャーシ１１〜１３に設けられる指標４０〜４９を、ランプクリップ３０〜３９の基部３５１等の基部の一面（表面）に設けられる表面目印３５５等に対応して設けたものである。
【０１３０】
ランプクリップ３０〜３９の基部３５１等の基部の一面（表面）には、保持部３５２，３５２等の対向する二つの保持部の間に柱形突起３００が一体に突設されており、該柱形突起３００夫々の断面形状を異ならせることにより、表面目印３５５等の表面目印としてある。柱形突起３００は保持部３５２，３５２等よりも長い長さに突設されており、光源装置が用いられる表示装置における光学シートの最も撓み易い中央部の撓みを抑制するものである。表面目印３５５等の表面目印は柱形突起３００に設けてある構成の他、基部３５１等の基部に設けてある構成であってもよい。また、表面目印３５５等の表面目印は凸形である他、凹形であってもよい。
【０１３１】
本実施の形態にあっては、表面目印３５５等を手がかりにランプクリップ３０〜３９を準備し、表面目印３５５等と指標４０〜４９とを手がかりに、ランプクリップ３０〜３９の係止部を係止孔に係止することによって、ランプクリップ３０〜３９をシャーシ１１〜１３に取付ける。
その他の構成及び作用は実施の形態１、２、３、４と同様であるため、同様の部品については同じ符号を付し、その詳細な説明及び作用効果の説明を省略する。
【０１３２】
以上説明した実施の形態において、反射シートが反射層を構成しているシャーシ１１は、反射シートを貫通して係止孔１１１〜１１４が開設され、反射シートに指標が設けられる。また、塗料が反射層を構成しているシャーシ１１は、塗料面を貫通して係止孔１１１〜１１４が開設され、塗料面に指標が設けられる。
【図面の簡単な説明】
【０１３３】
【図１】本発明の実施の形態１に係る光源装置を備える液晶表示装置の概略縦断面図である。
【図２】本発明の実施の形態１に係る光源装置のランプクリップ部分を拡大した縦断面図である。
【図３】本発明の実施の形態１に係る光源装置のランプクリップの構成を示す斜視図である。
【図４】ランプクリップの配置手順を示してある光源装置の上部正面図である。
【図５】本発明の実施の形態１に係る光源装置のランプクリップが取付けられている状態を示す一部を省略した正面図である。
【図６】本発明の実施の形態１に係る光源装置のランプクリップが取付けられている状態を示す一部を省略した正面図である。
【図７】本発明の実施の形態２に係る光源装置が備えるランプクリップの構成を示す側面図である。
【図８】本発明の実施の形態２に係る光源装置が備えるランプクリップの構成を示す底面図である。
【図９】本発明の実施の形態２に係る光源装置が備える他のランプクリップの構成を示す側面図である。
【図１０】本発明の実施の形態２に係る光源装置が備える他のランプクリップの構成を示す底面図である。
【図１１】本発明の実施の形態２に係る光源装置が備える更に他のランプクリップの構成を示す側面図である。
【図１２】本発明の実施の形態２に係る光源装置が備える更に他のランプクリップの構成を示す底面図である。
【図１３】ランプクリップの配置手順を示してある光源装置の一部を省略した正面図である。
【図１４】本発明の実施の形態３に係る光源装置が備えるランプクリップの構成を示す側面図である。
【図１５】本発明の実施の形態３に係る光源装置が備えるランプクリップの構成を示す底面図である。
【図１６】本発明の実施の形態３に係る光源装置が備える他のランプクリップの構成を示す側面図である。
【図１７】本発明の実施の形態３に係る光源装置が備える他のランプクリップの構成を示す底面図である。
【図１８】本発明の実施の形態３に係る光源装置が備える更に他のランプクリップの構成を示す側面図である。
【図１９】本発明の実施の形態３に係る光源装置が備える更に他のランプクリップの構成を示す底面図である。
【図２０】ランプクリップの配置手順を示してある光源装置の一部を省略した正面図である。
【図２１】本発明の実施の形態４に係る光源装置のランプクリップが取付けられている状態を示す一部を省略した正面図である。
【図２２】本発明の実施の形態５に係る光源装置の他のランプクリップの構成を示すもので、(a) は側面図、(b) は底面図である。
【符号の説明】
【０１３４】
１    光源装置
１１〜１３  シャーシ（取付板）
２１〜２８  ランプ
３０〜３９  ランプクリップ
３１１，３２１，３３１，３４１  基部
３５１，３６１，３７１，３８１，３９１，３０１  基部
３１２，３２２，３３２，３４２  保持部
３５２，３６２，３７２，３８２，３９２，３０２  保持部
３１３，３２３，３３３，３４３  目印（切り欠き状部分、凹部）
３５３，３６３，３７３，３８３，３９３，３０３  裏面目印（目印，凸部）
３５５，３６５，３７５，３８５，３９５，３０５  表面目印（目印）
３００      柱形突起
４０〜４９  指標（凹部）
５１〜５６  ランプ
６１〜６６  ランプ
【図１】
2008123992.tif 000003
【図２】
2008123992.tif 000004
【図３】
2008123992.tif 000005
【図４】
2008123992.tif 000006
【図５】
2008123992.tif 000007
【図６】
2008123992.tif 000008
【図７】
2008123992.tif 000009
【図８】
2008123992.tif 000010
【図９】
2008123992.tif 000011
【図１０】
2008123992.tif 000012
【図１１】
2008123992.tif 000013
【図１２】
2008123992.tif 000014
【図１３】
2008123992.tif 000015
【図１４】
2008123992.tif 000016
【図１５】
2008123992.tif 000017
【図１６】
2008123992.tif 000018
【図１７】
2008123992.tif 000019
【図１８】
2008123992.tif 000020
【図１９】
2008123992.tif 000021
【図２０】
2008123992.tif 000022
【図２１】
2008123992.tif 000023
【図２２】
2008123992.tif 000024